(57)【要約】【課題】大きな切断力を二つの刃体部間に発生させることが可能な理美容鋏を提供する。【解決手段】理美容鋏１は、第一鋏部材２と、第二鋏部材３と、軸部材４と、接続部材５とを備える。第一鋏部材２と第二鋏部材３とは、第一接続点Ｃ１において、軸部材４によって回転可能に接続されている。第一鋏部材２の柄部２２は、刃体部２１から延びる第一部分２２１と、指環部２３から延びる第二部分２２２と、から構成されている。接続部材５の一端部は第二接続点Ｃ２において第二部分２２２に回転可能に接続されている。接続部材５の他端部は第三接続点Ｃ３において第二鋏部材３の柄部３２に回転可能に接続されている。第一部分２２１は、第二接続点Ｃ２と指環部２３との間の第四接続点Ｃ４において第二部分２２２に回転可能に接続されている。【選択図】図１
2020022721.tif 000002
【特許請求の範囲】
【請求項１】
刃体部と、柄部と、指環部と、を備える第一鋏部材と、
刃体部と、柄部と、指環部と、を備え、前記刃体部、前記柄部及び前記指環部が一体に形成された第二鋏部材と、
前記刃体部と前記柄部との間の第一接続点で、前記第一鋏部材と前記第二鋏部材とを回転可能に接続する軸部材と、
接続部材と、
を備え、
前記第一鋏部材の柄部は、前記刃体部から延びる第一部分と、前記指環部から延びる第二部分と、から構成されており、
前記接続部材の一端部は第二接続点において前記第二部分に回転可能に接続されており、前記接続部材の他端部は第三接続点において前記第二鋏部材の柄部に回転可能に接続されており、
前記第一部分は、前記第二接続点と前記指環部との間の第四接続点において前記第二部分に回転可能に接続されている、
ことを特徴とする理美容鋏。
【請求項２】
刃体部と、柄部と、指環部と、を備える第一鋏部材と、
刃体部と、柄部と、指環部と、を備え、前記刃体部、前記柄部及び前記指環部が一体に形成された第二鋏部材と、
前記第一鋏部材と前記第二鋏部材とを接続する支点を含む４つの支点と、
を備えることを特徴とする理美容鋏。
【発明の詳細な説明】
【技術分野】
【０００１】
本発明は、理美容鋏に関する。
【背景技術】
【０００２】
第一鋏部材と、第二鋏部材と、軸部材と、を備えた理美容鋏が知られている（特許文献１など）。第一鋏部材及び第二鋏部材はそれぞれ、刃体部と、柄部と、指環部とを備えている。第一鋏部材と第二鋏部材とは、刃体部と柄部との間の位置で、軸部材によって回転可能に接続されている。
【先行技術文献】
【特許文献】
【０００３】
【特許文献１】特開２０１５−１４６８５４号公報
【発明の概要】
【発明が解決しようとする課題】
【０００４】
ところで、理美容鋏は頻繁に開閉を行うため、使用者の手首に負担が掛かりやすい。特に、犬や猫といったペットの毛を切断するための理美容鋏の刃体部は、人間用の理美容鋏の刃体部よりも長いため、使用者の手首には負担が掛かりやすい。そのため、できる限り使用者の手首に負担が掛からないよう、小さな操作力で大きな切断力が得られる理美容鋏が望まれている。
【０００５】
本発明は、大きな切断力を二つの刃体部間に発生させることが可能な理美容鋏を提供することを目的とする。
【課題を解決するための手段】
【０００６】
本発明の理美容鋏は、
刃体部と、柄部と、指環部と、を備える第一鋏部材と、
刃体部と、柄部と、指環部と、を備え、前記刃体部、前記柄部及び前記指環部が一体に形成された第二鋏部材と、
前記刃体部と前記柄部との間の第一接続点で、前記第一鋏部材と前記第二鋏部材とを回転可能に接続する軸部材と、
接続部材と、
を備え、
前記第一鋏部材の柄部は、前記刃体部から延びる第一部分と、前記指環部から延びる第二部分と、から構成されており、
前記接続部材の一端部は第二接続点において前記第二部分に回転可能に接続されており、前記接続部材の他端部は第三接続点において前記第二鋏部材の柄部に回転可能に接続されており、
前記第一部分は、前記第二接続点と前記指環部との間の第四接続点において前記第二部分に回転可能に接続されている、
ことを特徴としている。
【０００７】
本発明の理美容鋏は、
刃体部と、柄部と、指環部と、を備える第一鋏部材と、
刃体部と、柄部と、指環部と、を備え、前記刃体部、前記柄部及び前記指環部が一体に形成された第二鋏部材と、
前記第一鋏部材と前記第二鋏部材とを接続する支点を含む４つの支点と、
を備えることを特徴とする。
【０００８】
本発明の理美容鋏は、人の頭髪を切断するための鋏の他、動物の毛、例えば犬や猫といったペットの毛を切断するための鋏を含む。本発明の理美容鋏は、例えばすきバサミである。
【発明の効果】
【０００９】
本発明の理美容鋏では、第一鋏部材を閉じる際に、第一鋏部材の指環部が力点、第二接続点が支点、第四接続点（第一鋏部材の柄部の第一部分）が作用点となり、テコの原理により、力点に作用する力よりも大きな力を第四接続点に発生させることができる。第四接続点に働く力は、第一接続点を支点、第一鋏部材の刃体部を作用点とするテコの原理により、従来の理美容鋏の刃体部に働く力よりも大きな力を第一鋏部材の刃体部に発生させる。これにより、理美容鋏の切断力を増大させることができる。
【００１０】
第二鋏部材を閉じる際には、第二鋏部材の指環部が力点、第二接続点が支点、第三接続点（第二鋏部材の柄部）が作用点となり、テコの原理により、力点に作用する力よりも大きな力を第三接続点に発生させることができる。第三接続点に働く力は、第一接続点を支点、第二鋏部材の刃体部を作用点とするテコの原理により、従来の理美容鋏の刃体部に働く力よりも大きな力を第二鋏部材の刃体部に発生させる。これにより、理美容鋏の切断力を増大させることができる。
【図面の簡単な説明】
【００１１】
【図１】（ａ）閉じた状態の理美容鋏の平面図、（ｂ）開いた状態の理美容鋏の平面図である。
【図２】第二鋏部材は静止させたままで、第一鋏部材のみを動かす場合の理美容鋏の動作を示す平面図である。
【図３】第一鋏部材及び第二鋏部材の両方を動かす場合の理美容鋏の動作を示す平面図である。
【図４】本発明の理美容鋏とは別構造を有する理美容鋏の平面図である。
【発明を実施するための形態】
【００１２】
本発明について図面を参照しながら説明する。以下で説明する実施形態は、いずれも本発明の好ましい一具体例を示すものである。本発明は、以下の実施形態に限定されず、その主旨を逸脱しない範囲で適宜変更可能である。
【００１３】
図１（ａ）は閉じた状態の理美容鋏１の平面図である。図１（ｂ）は開いた状態の理美容鋏１の平面図である。
【００１４】
理美容鋏１は、第一鋏部材２と、第二鋏部材３と、軸部材４と、接続部材５と、を備える。
【００１５】
第一鋏部材２は、刃体部２１と、柄部２２と、指環部２３と、を備える。指環部２３には、指（通常は、親指）が挿入される。
【００１６】
第二鋏部材３は、刃体部３１と、柄部３２と、指環部３３と、小指掛け３４と、を備える。刃体部３１、柄部３２、指環部３３及び小指掛け３４は一体的に形成されている。指環部３３には、指（通常は、薬指）が挿入される。
【００１７】
第一鋏部材２と第二鋏部材３とは、刃体部２１、３１と柄部２２、３２との間の位置で、軸部材４によって回転可能に接続されている。以下では、軸部材４による第一鋏部材２と第二鋏部材３との接続点を「第一接続点Ｃ１」と表記する。
【００１８】
第一鋏部材２の柄部２２は、第一部分２２１と、第一部分２２１とは別部材から成る第二部分２２２と、から構成されている。第一部分２２１は、刃体部２１に一体的に形成されており、刃体部２１から指環部２３に向けて延びている。第一部分２２１と柄部３２との間には隙間が存在している。第二部分２２２は、指環部２３に一体的に形成されており、指環部２３から刃体部２１に向けて延びている。第二部分２２２の端部は、第一部分２２１と柄部３２との間の隙間に位置している。第二部分２２２の端部は、図１（ａ）に示すように理美容鋏１が閉じた状態において、軸部材４の中心を通る中心線Ｏ上に位置している。
【００１９】
接続部材５の一端部は、軸部材６によって、第二部分２２２の端部に回転可能に接続されている。以下では、接続部材５の一端部と第二部分２２２の端部との接続点を「第二接続点Ｃ２」と表記する。図１（ａ）に示すように理美容鋏１が閉じた状態において、第二接続点Ｃ２は中心線Ｏ上に位置する。接続部材５の他端部は、軸部材７によって、第二鋏部材３の柄部３２の略中間位置に回転可能に接続されている。以下では、接続部材５の他端部と柄部３２との接続点を「第三接続点Ｃ３」と表記する。第三接続点Ｃ３は第二接続点Ｃ２よりも指環部３３に近接している。
【００２０】
第一部分２２１の端部は、指環部２３と第二接続点Ｃ２との間の位置で、軸部材８によって第二部分２２２に回転可能に接続されている。以下では、第一部分２２１の端部と第二部分２２２との接続点を「第四接続点Ｃ４」と表記する。第四接続点Ｃ４は、指環部２３と第二接続点Ｃ２との略中間に位置している。
【００２１】
図１（ａ）に示すように、第三接続点Ｃ３及び第四接続点Ｃ４はいずれも、第二接続点Ｃ２を中心とする同一円周上に位置している。つまり、第二接続点Ｃ２と第四接続点Ｃ４との間の距離Ｌ１は、第二接続点Ｃ２と第三接続点Ｃ３との間の距離Ｌ２（すなわち、接続部材５の長さ）と略同じである。
【００２２】
軸部材４、軸部材６、軸部材７及び軸部材８は、例えばボルト及びナットの組み合わせ、又はリベットを使用することができる。
【００２３】
図１（ａ）の状態から第一鋏部材２と第二鋏部材３とが開くように理美容鋏１を操作すると、第一接続点Ｃ１、第二接続点Ｃ２、第三接続点Ｃ３及び第四接続点Ｃ４において接続された各パーツが回転する。これにより、理美容鋏１は図１（ｂ）に示すような開いた状態になる。
【００２４】
以下では、図２及び図３を参照して理美容鋏１の作用効果について説明する。図２及び図３では、理美容鋏１に作用する力Ｆを矢印で模式的に表している。図２及び図３に示す力Ｆの矢印の方向は、必ずしも力Ｆが作用する方向を正確に示しているわけではない。また、図２及び図３に示す力Ｆの矢印の長さは、必ずしも力Ｆの大きさを正確に示しているわけではない。
【００２５】
まず、図２を参照して、第二鋏部材３は動かさず、第一鋏部材２のみを閉じる場合について説明する。この場合、第一鋏部材２は動刃、第二鋏部材３は静刃である。図２は、指環部２３と指環部３３とが離間した状態（すなわち、刃体部２１と刃体部３１とが開いた状態）から、使用者が指環部２３を指環部３３に接近させる方向に動かす場合を図示している。
【００２６】
図２では、指環部２３に力Ｆ１が働いている。指環部２３は力点である。第二接続点Ｃ２は支点となる。第四接続点Ｃ４は作用点となる。テコの原理により、第四接続点Ｃ４（すなわち、第一部分２２１の端部）には、指環部２３に加えられた力Ｆ１よりも大きな力が働く。第四接続点Ｃ４に働く力Ｆ２は、腕の長さｒ１（支点である第二接続点Ｃ２から力Ｆ２の作用線に下ろした垂線の長さ）に反比例する。つまり、腕の長さｒ１が小さくなるほど、力Ｆ２は大きくなる。腕の長さｒ１は、第二接続点Ｃ２と第四接続点Ｃ４との間の距離Ｌ１に比例する。つまり、Ｌ１が小さいほど腕の長さｒ１も小さくなる。結果として、力Ｆ２はＬ１に反比例し、Ｌ１が小さいほど力Ｆ２は大きくなる。
【００２７】
第四接続点Ｃ４に働く力Ｆ２は、第一接続点Ｃ１を支点、刃体部２１を作用点とするテコの原理により、従来の理美容鋏の刃体部に働く力よりも大きな力Ｆ３を刃体部２１に発生させる。このように、本発明の理美容鋏１では、刃体部２１と刃体部３１との間に働く切断力を、従来の理美容鋏の切断力よりも大きくすることができる。
【００２８】
図４に示す理美容鋏１Ａと本発明の理美容鋏１とを比較しつつ、理美容鋏１のさらなる利点について説明する。図４は、理美容鋏１とは別の構造を有する理美容鋏１Ａの平面図である。なお、理美容鋏１Ａにおいて、理美容鋏１と同一の構成要素については同一の符号を付し、その説明を省略する。
【００２９】
図４に示す理美容鋏１Ａでは、第二鋏部材３の柄部３２は二つの部分に分離されている。つまり、柄部３２は、第一部分３２１と、第一部分３２１とは別部材から成る第二部分３２２とから構成されている。第一部分３２１は、刃体部３１に一体的に形成されており、刃体部３１から指環部３３に向けて延びている。第二部分３２２は、指環部３３に一体的に形成されており、指環部３３から直線的に延び、その後、湾曲しながら向きを変え、第一鋏部材２の第二部分２２２に向けて直線的に延びている。理美容鋏１Ａには、接続部材５は存在しない。第一部分３２１の端部は、第二部分３２２の略中間に位置する湾曲部に軸部材７によって回転可能に接続されている。第二部分３２２の端部は、第一鋏部材２の第二部分２２２の端部に軸部材６によって回転可能に接続されている。
【００３０】
図４に示す理美容鋏１Ａでは、第一部分３２１と第二部分３２２とは回転可能に接続されている。そのため、第二鋏部材の指環部３３は動かさず、第一鋏部材２の指環部２３のみを動かした場合でも、刃体部２１及び軸部材４の回転に伴い、刃体部３１は動く。その結果、理美容鋏１を開閉する度に、刃体部２１と刃体部３１とによって毛を挟む位置が変化する。これに対し、本発明の理美容鋏１では、第二鋏部材３の刃体部３１、柄部３２及び指環部３３は一体的に形成されているため、第二鋏部材の指環部３３は動かさず、第一鋏部材２の指環部２３のみを動かした場合、第一鋏部材２のみが動き、第二鋏部材３は動かない。したがって、理美容鋏１を繰り返し開閉させても、刃体部２１と刃体部３１とによって毛を挟む位置はほぼ変化しない。これにより、毛を切断し易くなる。
【００３１】
次に、図３を参照して、第一鋏部材２と第二鋏部材３の両方を閉じる場合について説明する。図３は、指環部２３と指環部３３とが離間した状態から、使用者が指環部２３と指環部３３とを、それぞれ互いに接近させる方向に動かす場合を図示している。第一鋏部材２の動作については上記で既に説明したため、第一鋏部材２の動作の説明は省略する。
【００３２】
図３では、指環部３３に力Ｆ４が働いている。指環部３３は力点である。第二接続点Ｃ２は支点となる。第三接続点Ｃ３は作用点となる。テコの原理により、第三接続点Ｃ３（すなわち、第二鋏部材３の柄部３２）には、指環部３３に加えられた力Ｆ４よりも大きな力Ｆ５が働く。第三接続点Ｃ３に働く力Ｆ５は、腕の長さｒ２（支点である第二接続点Ｃ２から力Ｆ５の作用線に下ろした垂線の長さ）に反比例する。つまり、腕の長さｒ２が小さくなるほど、力Ｆ５は大きくなる。腕の長さｒ２は、接続部材５の長さＬ２に比例する。つまり、Ｌ２が小さいほど腕の長さｒ２も小さくなる。結果として、力Ｆ５はＬ２に反比例し、Ｌ２が小さいほど力Ｆ５は大きくなる。
【００３３】
第三接続点Ｃ３に働く力Ｆ５は、第一接続点Ｃ１を支点、刃体部３１を作用点とするテコの原理により、従来の理美容鋏の刃体部に働く力よりも大きな力Ｆ６を刃体部３１に発生させる。前記の通り、刃体部２１にも力Ｆ３が働く。したがって、本発明の理美容鋏１では、刃体部２１に働く力Ｆ３と刃体部３１に働く力Ｆ６とにより、刃体部２１と刃体部３１との間に働く切断力を、従来の理美容鋏の切断力よりも大きくすることができる。
【符号の説明】
【００３４】
１        理美容鋏
２        第一鋏部材
２１      刃体部
２２      柄部
２２１    第一部分
２２２    第二部分
２３      指環部
３        第二鋏部材
３１      刃体部
３２      柄部
３３      指環部
４        軸部材
５        接続部材
６        軸部材
７        軸部材
８        軸部材
Ｃ１      第一接続点（支点）
Ｃ２      第二接続点（支点）
Ｃ３      第三接続点（支点）
Ｃ４      第四接続点（支点）
【図１】
2020022721.tif 000003
【図２】
2020022721.tif 000004
【図３】
2020022721.tif 000005
【図４】
2020022721.tif 000006
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
刃体部と、柄部と、指環部と、を備える第一鋏部材と、
刃体部と、柄部と、指環部と、を備え、前記刃体部、前記柄部及び前記指環部が一体に形成された第二鋏部材と、
前記刃体部と前記柄部との間の第一接続点で、前記第一鋏部材と前記第二鋏部材とを回転可能に接続する軸部材と、
接続部材と、
を備え、
前記第一鋏部材の柄部は、前記刃体部から延びる第一部分と、前記指環部から延びる第二部分と、から構成されており、
前記接続部材の一端部は第二接続点において前記第二部分に回転可能に接続されており、前記接続部材の他端部は第三接続点において前記第二鋏部材の柄部に回転可能に接続されており、
前記第一部分は、前記第二接続点と前記指環部との間の第四接続点において前記第二部分に回転可能に接続されており、
前記第二接続点は、前記第三接続点及び前記第四接続点よりも前記刃体部に近接している、
ことを特徴とする理美容鋏。
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
刃体部と、柄部と、指環部と、を備え、前記柄部が前記刃体部から延びる第一部分と、前記指環部から延びる第二部分と、から構成される第一鋏部材と、
刃体部と、柄部と、指環部と、を備え、前記刃体部、前記柄部及び前記指環部が一体に形成された第二鋏部材と、
前記第一鋏部材の前記刃体部と前記第一部分との間、及び、前記第二鋏部材の前記刃体部と前記柄部との間の第一接続点で、前記第一鋏部材と前記第二鋏部材とを回転可能に接続する軸部材と、
接続部材と、
を備え、
前記接続部材の一端部は第二接続点において前記第二部分に回転可能に接続されており、前記接続部材の他端部は第三接続点において前記第二鋏部材の柄部に回転可能に接続されており、
前記第一部分は、前記第二接続点と前記指環部との間の第四接続点において前記第二部分に回転可能に接続されており、
前記第一鋏部材の前記刃体部と前記第二鋏部材の前記刃体部とが閉じた状態から最大に開いた状態まで、前記第二接続点は、前記第三接続点及び前記第四接続点よりも前記第一接続点に近接している、
ことを特徴とする理美容鋏。